(57)【特許請求の範囲】
【請求項１】
箱本体と、該箱本体に取り付けられる電気部品モジュールとを備え、前記箱本体側に設けられた本体側ロック部を介して前記電気部品モジュールが前記箱本体に取り付けられると共に、該箱本体側に設けられた本体側接続部に、前記電気部品モジュールに設けられたモジュール側接続部が接続される電気接続箱において、
前記本体側ロック部を構成する第一ロック部と、前記本体側接続部を構成するコネクタ部とが一体形成されていると共に、前記箱本体に固定される第二ロック部が設けられたモジュールホルダを備え、
前記電気部品モジュールが前記第一ロック部を介して前記モジュールホルダに取り付けられて、前記コネクタ部に前記モジュール側接続部が接続されると共に、
前記電気部品モジュールが取り付けられた前記モジュールホルダが、前記第二ロック部を介して前記箱本体に取り付けられるようになっている
ことを特徴とする電気接続箱。
【請求項２】
前記モジュールホルダが開口部を有する箱体形状とされており、該開口部から前記電気部品モジュールが差し込まれるようになっていると共に、前記モジュールホルダの内面と前記電気部品モジュールの外面との何れか一方に誤結防止リブが設けられている一方、他方に該誤結防止リブと嵌合する誤結防止溝が形成されている
請求項１に記載の電気接続箱。
【請求項３】
前記モジュールホルダに貫通孔が形成されている一方、前記電気部品モジュールに外部電気部品が接続される外部接続部が形成されており、前記電気部品モジュールの前記モジュールホルダへの取付状態において、前記外部接続部が前記貫通孔を通じて前記モジュールホルダの外部に露呈されている
請求項１又は２に記載の電気接続箱。
【発明の詳細な説明】
【技術分野】
【０００１】
本発明は、自動車等に設けられる電気接続箱に係り、特に、リレーやヒューズ等の電気部品がモジュール化された電気部品モジュールが箱本体に取り付けられるようになっている電気接続箱に関するものである。
【背景技術】
【０００２】
従来から、自動車等においては、バッテリからの電源をヘッドランプ等の各負荷に効率良く分配するために、ジャンクションボックス等の電気接続箱が用いられている。特に近年では、特開平９−１４９５２７号公報（特許文献１）に記載のように、配線を簡略化するために、ヘッドランプ等のような殆ど全ての車種が備える負荷に接続するリレーやヒューズ等をプリント基板に集約する等してモジュール化した電気部品モジュールを用意して、該電気部品モジュールを複数の車種の電気接続箱に共通して取付可能とされたものがある。
【０００３】
ところで、このような電気接続箱においては、電気部品モジュールと箱本体を電気的に接続するために、箱本体側にコネクタなどの本体側接続部が設けられて、電気部品モジュールに設けられた相手側コネクタ等のモジュール側接続部と接続されるようになっている。
【０００４】
ところが、従来の電気接続箱においては、本体側接続部として、箱本体と別体形成されたコネクタが箱本体にロック固定されていた。それ故、コネクタに位置ずれが生じると、電気部品モジュールを固定するために箱本体に設けられた本体側ロック部とコネクタとの間に大きな公差を生じるおそれがあり、本体側ロック部によって位置決め固定される電気部品モジュールが、本体側のコネクタと安定的に接続できなくなるおそれがあった。
【０００５】
そこで、特許文献１においては、本体側接続部としてのコネクタ形状を箱本体に一体形成することにより、本体側ロック部とコネクタとの公差の縮小を図る電気接続箱が提案されている。しかし、電気部品モジュールと箱本体は提供元が異なる場合があり、そのような場合には、電気部品モジュールと箱本体の寸法精度を一元に管理することが出来ず、接続が困難になる場合があった。特に、電気部品モジュールが多数の車種に共通して用いられる場合には、全ての車種の箱本体と電気部品モジュールとの接続を管理しなければならず、非常に手間を要するものであった。
【先行技術文献】
【特許文献】
【０００６】
【特許文献１】特開平９−１４９５２７号公報
【発明の概要】
【発明が解決しようとする課題】
【０００７】
本発明は、上述の事情を背景に為されたものであって、その解決課題は、電気部品がモジュール化された電気部品モジュールが箱本体に取り付けられる電気接続箱において、箱本体側に設けられた本体側接続部と電気部品モジュールに設けられたモジュール側接続部との接続信頼性をより容易且つ高度に確保することの出来る、新規な構造の電気接続箱を提供することにある。
【課題を解決するための手段】
【０００８】
本発明の第一の態様は、箱本体と、該箱本体に取り付けられる電気部品モジュールとを備え、前記箱本体側に設けられた本体側ロック部を介して前記電気部品モジュールが前記箱本体に取り付けられると共に、該箱本体側に設けられた本体側接続部に、前記電気部品モジュールに設けられたモジュール側接続部が接続される電気接続箱において、前記本体側ロック部を構成する第一ロック部と、前記本体側接続部を構成するコネクタ部とが一体形成されていると共に、前記箱本体に固定される第二ロック部が設けられたモジュールホルダを備え、前記電気部品モジュールが前記第一ロック部を介して前記モジュールホルダに取り付けられて、前記コネクタ部に前記モジュール側接続部が接続されると共に、前記電気部品モジュールが取り付けられた前記モジュールホルダが、前記第二ロック部を介して前記箱本体に取り付けられるようになっていることを、特徴とする。
【０００９】
本態様に従う構造とされた電気接続箱においては、箱本体と別体のモジュールホルダを設け、該モジュールホルダに電気部品モジュールを固定する第一ロック部と、電気部品モジュールのモジュール側接続部に接続するコネクタ部とを一体形成した。そして、モジュールホルダを箱本体に組み付けることによって、第一ロック部で本体側ロック部を構成すると共に、コネクタ部で本体側接続部を構成するようにした。これにより、本体側ロック部と本体側接続部とがモジュールホルダに寸法精度良く一体形成されており、電気部品モジュールをモジュールホルダに組み付けることによって、本体側ロック部で固定される電気部品モジュールを、本体側接続部に精度良く位置決めして、安定的に接続することが出来る。
【００１０】
そして、本体側ロック部と本体側接続部を構成するモジュールホルダが、箱本体に対して別体とされている。これにより、モジュールホルダの寸法精度と電気部品モジュールの寸法精度が確保できれば、モジュールホルダを箱本体に組み付ける第二ロックは高度な精度を確保せずとも、電気部品モジュールと本体側接続部との接続信頼性を確保しつつ、電気部品モジュールを箱本体に組み付けることが出来る。従って、箱本体の提供元が異なる等の理由で箱本体の寸法精度を確保することが困難な場合でも、電気部品モジュールとモジュールホルダとの寸法精度を確保しさえすれば、電気部品モジュールと本体側接続部との接続信頼性を確保することが出来る。その結果、例えば電気部品モジュールが多種の箱本体に共通して組み付けられる場合でも、全ての箱本体との間で寸法精度を高度に管理する必要無しに、本体側接続部との接続信頼性を確保することが出来る。
【００１１】
なお、モジュールホルダは、電気部品モジュールを収容して固定するものでも良いし、非収容状態で固定するものでも良い。また、電気部品モジュールのモジュール側接続部と、モジュールホルダのコネクタ部は、何れが雄コネクタでも雌コネクタでも良い。
【００１２】
本発明の第二の態様は、前記第一の態様に記載のものにおいて、前記モジュールホルダが開口部を有する箱体形状とされており、該開口部から前記電気部品モジュールが差し込まれるようになっていると共に、前記モジュールホルダの内面と前記電気部品モジュールの外面との何れか一方に誤結防止リブが設けられている一方、他方に該誤結防止リブと嵌合する誤結防止溝が形成されているものである。
【００１３】
本態様によれば、モジュールホルダが箱体形状とされていることから、電気部品モジュールを差し込むことによって、モジュールホルダに容易に組み付けることが出来る。更に、モジュールホルダと電気部品モジュールに誤結防止リブと誤結防止溝が形成されていることから、電気部品モジュールを誤った方向でモジュールホルダに組み付けることを防止することが出来て、電気部品モジュールとモジュールホルダのコネクタ部とを正しく接続することが出来る。
【００１４】
本発明の第三の態様は、前記第一又は第二の態様に記載のものにおいて、前記モジュールホルダに貫通孔が形成されている一方、前記電気部品モジュールに外部電気部品が接続される外部接続部が形成されており、前記電気部品モジュールの前記モジュールホルダへの取付状態において、前記外部接続部が前記貫通孔を通じて前記モジュールホルダの外部に露呈されているものである。
【００１５】
本態様によれば、モジュールホルダの貫通孔を通じて、電気部品モジュールの外部接続部に、コネクタ等の外部電気部品を接続することが出来る。これにより、電気部品モジュールに接続される全てのコネクタをモジュールホルダに形成することが不要とされて、接続されるコネクタの変更等の設計変更にも柔軟に対応することが出来る。
【発明の効果】
【００１６】
本発明においては、本体側ロック部を構成する第一ロック部と、本体側接続部を構成するコネクタ部とが一体形成されたモジュールホルダを設けて、電気部品モジュールをモジュールホルダに組み付けると共に、該モジュールホルダを箱本体に組み付けるようにした。これにより、モジュールホルダの第一ロック部で位置決め固定される電気部品モジュールを、第一ロック部と一体形成されたモジュールホルダのコネクタ部に精度良く位置決めして、高度な信頼性をもって接続することが出来る。そして、モジュールホルダが箱本体と別体とされていることから、箱本体の寸法精度を高度に管理する手間を要することなく、電気部品モジュールとモジュールホルダとの寸法精度を管理するのみで、電気部品モジュールを本体側接続部と安定的に接続することが出来る。
【図面の簡単な説明】
【００１７】
【図１】本発明の一実施形態としての電気接続箱の分解斜視図。
【図２】電気部品モジュールの側面図。
【図３】図２に示した電気部品モジュールの下面図。
【図４】モジュールホルダの側面図。
【図５】図４に示したモジュールホルダの上面図。
【図６】図４に示したモジュールホルダの下面図。
【図７】図５におけるＶＩＩ−ＶＩＩ断面図。
【図８】図１に示した電気接続箱の組み付け状態を示す断面図。
【発明を実施するための形態】
【００１８】
以下、本発明の実施形態について、図面を参照しつつ説明する。
【００１９】
先ず、図１に、本発明の一実施形態としての電気接続箱１０を示す。電気接続箱１０は、箱本体１２に、電気部品モジュール１４がモジュールホルダ１６を介して組み付けられる構造とされている。
【００２０】
図２および図３に、電気部品モジュール１４を示す。電気部品モジュール１４は、略長手矩形の箱体形状とされている。図示は省略するが、電気部品モジュール１４の内部には、リレーやヒューズ等が実装されたプリント基板が収容されている。電気部品モジュール１４の上面１８には、複数のヒューズ装着部２０が並列して形成されている。一方、図３に示すように、電気部品モジュール１４の下面２２には、モジュール側接続部としての一対の雌コネクタ２４，２４と、外部接続部としての複数の外部接続雌コネクタ２６が形成されている。
【００２１】
雌コネクタ２４，２４は、下面２２の長手方向（図３中、左右方向）の両端に位置して形成されている。雌コネクタ２４，２４は、下面２２に略矩形の開口形状をもって開口する凹状部とされており、それぞれの内部にタブ状の雄端子２８，２８が設けられている。更に、複数の外部接続雌コネクタ２６が、下面２２の長手方向で一対の雌コネクタ２４，２４の間に並列して設けられている。なお、下面２２には、これら複数の外部接続雌コネクタ２６を囲んで下方（図２中、下方）に突出するフード部３０が形成されている。フード部３０は、下方（図２中、下方）に向けて拡開する周壁形状とされている。そして、これら一対の雌コネクタ２４，２４および複数の外部接続雌コネクタ２６が、電気部品モジュール１４内に設けられたプリント基板と電気的に接続されている。
【００２２】
また、電気部品モジュール１４の側面３２ａ〜３２ｄにおいて、長手方向の両端に位置する側面３２ａ，３２ｃには、ロック部３４，３４が設けられている。ロック部３４には、上方（図２中、上方）が自由端とされた可撓片３６（図１参照）が形成されており、該可撓片３６には係止爪３８が形成されている。更に、可撓片３６の両側には、可撓片３６の延出方向（図２中、上下方向）に延びる案内溝４０，４０が形成されている。なお、案内溝４０は、延出方向で下側（図２中、下側）にのみ開放されている。
【００２３】
さらに、電気部品モジュール１４の側面３２ｂには、一対の誤結防止溝４２，４２が形成されている。これら誤結防止溝４２，４２は、電気部品モジュール１４の長手方向の両端部にそれぞれ位置して、側面３２ｂ上に開口すると共に上下方向（図２中、上下方向）に延びる溝形状とされている。なお、誤結防止溝４２，４２は、延出方向の両側に開口されており、電気部品モジュール１４の上面１８および下面２２に開口されている。
【００２４】
次に、図４〜図７に、モジュールホルダ１６を示す。モジュールホルダ１６は、合成樹脂からなる一体成形品とされており、底板４４の外周部分から周壁４６ａ〜４６ｄが突出された、一方に開口部４８を有する略長手矩形の箱体形状とされている。これにより、モジュールホルダ１６には、底板４４と周壁４６ａ〜４６ｄで囲まれたモジュール収容部５０が形成されている。
【００２５】
モジュールホルダ１６において、底板４４の長手方向の両端部には、一対のコネクタ部としての雄コネクタ５２，５２が一体形成されている。これら雄コネクタ５２，５２は、底板４４からモジュール収容部５０の内方に突出して形成されている。更に、本実施形態における雄コネクタ５２，５２は、底板４４を貫通するように形成されており、底板４４からモジュールホルダ１６の外方に突出する外方突出部５４，５４がそれぞれ形成されている。そして、図７に示すように、雄コネクタ５２，５２内には、前記電気部品モジュール１４の雄端子２８，２８と接続する雌端子５６，５６がそれぞれ設けられており、雌端子５６，５６から延出された電線５８，５８が、外方突出部５４，５４を通じてモジュールホルダ１６の外部に取り出されるようになっている。また、底板４４において、一対の雄コネクタ５２，５２の間には、貫通孔６０が貫設されている。
【００２６】
さらに、周壁４６ａ，４６ｃにおける内面には、第一ロック部６２，６２がそれぞれ一体形成されている。図１から明らかなように、第一ロック部６２，６２には、周壁４６ａ，４６ｃの開口部４８側に位置して、モジュール収容部５０の内方に突出する係止突起６４が形成されている。また、各第一ロック部６２，６２には、係止突起６４を挟む周壁４６ｂ，４６ｄの内面に、モジュール収容部５０の内方に突出すると共に電気部品モジュール１４の差し込み方向（図１における上下方向）に延びる案内リブ６６がそれぞれ形成されている。これにより、モジュールホルダ１６には、雄コネクタ５２，５２と第一ロック部６２，６２が一体形成されている。
【００２７】
また、周壁４６ａ，４６ｃの外面には、第二ロック部６８，６８がそれぞれ形成されている。図１から明らかなように、本実施形態における第二ロック部６８，６８は、前記電気部品モジュール１４におけるロック部３４と同様の形状を有するものが電気部品モジュール１４と反対方向に形成されたものであり、下方（図１中、下方）が自由端とされた可撓片７０と、該可撓片７０の両側に、案内溝７２，７２が形成されている。そして、可撓片７０には係止爪７４が形成されている。また、案内溝７２，７２は、延出方向で上側（図１中、上側）にのみ開放されている。
【００２８】
さらに、周壁４６ｂ，４６ｄの内面には、一対の誤結防止リブ７５，７５が形成されている。これら誤結防止リブ７５，７５は、周壁４６ｂ，４６ｄからモジュール収容部５０の内方に突出すると共に、電気部品モジュール１４の差し込み方向（図７中、上下方向）に延出して、底板４４から開口部４８に亘って形成されている。
【００２９】
一方、図１に示すように、箱本体１２には、モジュール取付部７６が設けられている。詳細な図示は省略するが、モジュール取付部７６には、前記モジュールホルダ１６が収容可能な長手矩形の空所が形成されている。そして、モジュール取付部７６における長手方向の両端に位置する内面７８，７８には、箱本体ロック部８０，８０がそれぞれ形成されている。これら箱本体ロック部８０は、前記モジュールホルダ１６において電気部品モジュール１４のロック部３４と係合する第一ロック部６２と同様の形状を有するものが電気部品モジュール１４と反対方向に形成されたものであり、モジュール取付部７６の内方に突出する係止突起８２が形成されていると共に、該係止突起８２の両側に、モジュールホルダ１６の差し込み方向（図１における上下方向）に延びる案内リブ８４，８４がそれぞれ形成されている。また、モジュール取付部７６には、箱本体１２の下方（図１中、下方）に開口する差込孔８６が形成されている。
【００３０】
そして、図８に示すように、電気部品モジュール１４がモジュールホルダ１６に差し込まれると共に、電気部品モジュール１４が差し込まれたモジュールホルダ１６が、箱本体１２のモジュール取付部７６に差し込まれる。電気部品モジュール１４は、モジュールホルダ１６の開口部４８からモジュール収容部５０に差し込まれる。この際、電気部品モジュール１４がモジュールホルダ１６に対して正規の方向で差し込まれた場合には、図１に示した電気部品モジュール１４の誤結防止溝４２，４２が、モジュールホルダ１６の誤結防止リブ７５，７５と嵌合されて電気部品モジュール１４がモジュールホルダ１６に対して位置決めされると共に、差し込み方向（図８中、上下方向）に案内されるようになっている。一方、電気部品モジュール１４がモジュールホルダ１６に対して誤った方向で差し込まれた場合には、誤結防止リブ７５，７５が電気部品モジュール１４に接触することにより、誤方向の差し込みが阻止されるようになっている。また、電気部品モジュール１４の各ロック部３４，３４にそれぞれ設けられた案内溝４０，４０に、モジュールホルダ１６の第一ロック部６２，６２にそれぞれ設けられた案内リブ６６，６６が差し込まれて、電気部品モジュール１４の係止爪３８，３８が、モジュールホルダ１６の係止突起６４，６４に対して位置決めされる。そして、電気部品モジュール１４が差し込まれることにより、電気部品モジュール１４の可撓片３６，３６が撓まされて、係止爪３８，３８が係止突起６４，６４を乗り越えた後に、可撓片３６，３６が復帰することにより、係止爪３８，３８が係止突起６４，６４と係合される。それと共に、モジュールホルダ１６の雄コネクタ５２，５２が電気部品モジュール１４の雌コネクタ２４，２４にそれぞれ差し込まれて、図２に示した雌コネクタ２４，２４内の雄端子２８，２８が、図７に示した雄コネクタ５２，５２内の雌端子５６，５６と接続される。このようにして、電気部品モジュール１４が、モジュール収容部５０への収容状態でモジュールホルダ１６に固定される。
【００３１】
さらに、電気部品モジュール１４が固定されたモジュールホルダ１６は、箱本体１２のモジュール取付部７６に、モジュール取付部７６の差込孔８６を通じて下方（図８中、下方）から差し込まれる。なお、モジュールホルダ１６の第二ロック部６８，６８にそれぞれ設けられた案内溝７２，７２（図１参照）に、モジュール取付部７６の箱本体ロック部８０，８０にそれぞれ設けられた案内リブ８４，８４が差し込まれることにより、モジュールホルダ１６の係止爪７４，７４が箱本体１２の係止突起８２，８２に対して位置決めされる。そして、モジュールホルダ１６が差し込まれることにより、モジュールホルダ１６の可撓片７０，７０が撓まされて、係止爪７４，７４が係止突起８２，８２を乗り越えた後に、可撓片７０，７０が復帰することにより、係止爪７４，７４が係止突起８２，８２と係合される。
【００３２】
以上のように、電気部品モジュール１４のロック部３４とモジュールホルダ１６の第一ロック部６２が係合されることにより、電気部品モジュール１４がモジュールホルダ１６に固定される。そして、電気部品モジュール１４が固定されたモジュールホルダ１６の第二ロック部６８，６８と箱本体１２の箱本体ロック部８０，８０が係合されることにより、モジュールホルダ１６が箱本体１２に固定される。これにより、電気部品モジュール１４が、モジュールホルダ１６を介して箱本体１２に固定されるようになっている。
【００３３】
モジュールホルダ１６への固定状態において、電気部品モジュール１４の下面２２から突出されたフード部３０が、モジュールホルダ１６の貫通孔６０を通じてモジュールホルダ１６の外方に突出される。これにより、フード部３０内に設けられた複数の外部接続雌コネクタ２６が貫通孔６０を通じてモジュールホルダ１６の外部に露呈されるようになっており、外部電気部品としての外部雄コネクタ８８が、外部接続雌コネクタ２６にそれぞれ接続可能とされている。
【００３４】
本実施形態に従う構造とされた電気接続箱１０においては、箱本体１２と別体形成されたモジュールホルダ１６に、電気部品モジュール１４をロックする第一ロック部６２，６２と、電気部品モジュール１４の雌コネクタ２４，２４に接続する雄コネクタ５２，５２とが一体形成されている。これにより、第一ロック部６２，６２と雄コネクタ５２，５２とを寸法精度良く形成することが出来、第一ロック部６２，６２で位置決め固定される電気部品モジュール１４の雌コネクタ２４，２４を、雄コネクタ５２，５２に精度良く位置決めすることが出来る。その結果、雌コネクタ２４，２４と雄コネクタ５２，５２との接続安定性を高度に確保することが出来る。
【００３５】
そして、モジュールホルダ１６を第二ロック部６８，６８を介して箱本体１２に固定することにより、電気部品モジュール１４をモジュールホルダ１６を介して箱本体１２に固定することが出来る。これにより、モジュールホルダ１６の第一ロック部６２，６２によって、電気部品モジュール１４を箱本体１２に固定する本体側ロック部が構成されていると共に、モジュールホルダ１６の雄コネクタ５２，５２によって、電気部品モジュール１４の雌コネクタ２４，２４と接続する箱本体１２側の本体側接続部が構成されている。
【００３６】
このように、本実施形態においては、箱本体１２側の本体側ロック部を構成する第一ロック部６２，６２と、本体側接続部を構成する雄コネクタ５２，５２とをモジュールホルダ１６に一体形成することによって、電気部品モジュール１４の雌コネクタ２４，２４と本体側接続部としての雄コネクタ５２，５２との接続安定性を確保することが出来る。従って、例えば箱本体１２の提供元が電気部品モジュール１４の提供元と異なる場合でも、電気部品モジュール１４とモジュールホルダ１６との寸法精度を確保すれば、電気部品モジュール１４の雌コネクタ２４，２４と箱本体１２側の雄コネクタ５２，５２との接続信頼性を確保することが出来る。その結果、箱本体１２と電気部品モジュール１４との間で寸法精度を高度に管理することが不要となり、特に電気部品モジュール１４が多種類の箱本体１２に共通して用いられるような場合には、全ての箱本体１２との間で寸法精度を高度に管理する手間を不要とすることが出来て、製造効率の大幅な向上を図ることが出来る。
【００３７】
さらに、電気部品モジュール１４に誤結防止溝４２，４２が形成されていると共に、モジュールホルダ１６に誤結防止リブ７５，７５が形成されている。これにより、電気部品モジュール１４が誤った方向でモジュールホルダ１６に差し込まれることを阻止することが出来て、電気部品モジュール１４の誤組み付けを阻止することが出来る。また、誤結防止溝４２，４２と誤結防止リブ７５，７５が相互に嵌合されると共に、電気部品モジュール１４のロック部３４に設けられた案内溝４０，４０にモジュールホルダ１６の第一ロック部６２に設けられた案内リブ６６，６６が差し込まれることにより、電気部品モジュール１４をモジュールホルダ１６内で精度良く位置決めすることが出来て、電気部品モジュール１４の雌コネクタ２４，２４とモジュールホルダ１６の雄コネクタ５２，５２とをより安定的に接続することが出来る。
【００３８】
更にまた、電気部品モジュール１４の下面２２には複数の外部接続雌コネクタ２６が設けられており、これら外部接続雌コネクタ２６がモジュールホルダ１６の貫通孔６０を通じてモジュールホルダ１６の外部に露出されている。これにより、電気部品モジュール１４を、モジュールホルダ１６を介することなく外部雄コネクタ８８と直接に接続することが可能とされている。その結果、必ずしも電気部品モジュール１４に接続される全てのコネクタ形状をモジュールホルダ１６に形成する必要が無く、例えば電気部品モジュール１４に接続されるコネクタ数やコネクタ形状が変更される場合には、電気部品モジュール１４の外部接続雌コネクタ２６の形状のみを変更することによって柔軟に対応することも出来る。
【００３９】
以上、本発明の実施形態について詳述したが、本発明はその具体的な記載によって限定されない。例えば、前記実施形態における電気部品モジュール１４側に雄コネクタ形状を、モジュールホルダ１６側に雌コネクタ形状を形成しても良い。また、前記実施形態においては、モジュールホルダ１６が箱本体１２に対して下方（図８中、下方）から差し込まれて組み付けられるようにされていたが、勿論、箱本体１２に対して上方（図８中、上方）から差し込まれて組み付けられるようにしても良い。
【００４０】
さらに、モジュールホルダは、必ずしも電気部品モジュールを収容状態で固定するものに限定されず、電気部品モジュールを非収容状態で固定するものでも良い。また、前記実施形態における電気部品モジュール１４の外部接続雌コネクタ２６は必ずしも必要ではない。更にまた、電気部品モジュールの外部接続部を露呈するモジュールホルダの貫通孔についても必ずしも必要ではないが、例えば電気部品モジュールの側面とこれに対応するモジュールホルダの側面に外部接続部と貫通孔をそれぞれ設けて、電気部品モジュールの外部接続部をモジュールホルダの側面に露呈させる等しても良い。
【符号の説明】
【００４１】
１０：電気接続箱、１２：箱本体、１４：電気部品モジュール、１６：モジュールホルダ、２４：雌コネクタ（モジュール側接続部）、２６：外部接続雌コネクタ（外部接続部）、２８：雄端子、４２：誤結防止溝、５２：雄コネクタ（コネクタ部、本体側接続部）、５６：雌端子、５８：電線、６０：貫通孔、６２：第一ロック部（本体側ロック）、６８：第二ロック部、７５：誤結防止リブ、８８：外部雄コネクタ（外部電気部品）
【図１】
0005757892.tif 000002
【図２】
0005757892.tif 000003
【図３】
0005757892.tif 000004
【図４】
0005757892.tif 000005
【図５】
0005757892.tif 000006
【図６】
0005757892.tif 000007
【図７】
0005757892.tif 000008
【図８】
0005757892.tif 000009